(57)【特許請求の範囲】
【請求項１】
電源ラインが接続される電源接続部と、
前記電源接続部に接続される複数のコネクタと、
前記電源接続部と前記複数のコネクタ間の配線を切り替える配線切替スイッチ部と、
前記複数のコネクタのうちの特定のコネクタに設けられ、該特定のコネクタに第１の外部コネクタを差し込むことにより作動して、前記配線切替スイッチ部の配線切り替えを行う作動部材とを備え、
前記複数のコネクタは、前記特定のコネクタ以外に２つのコネクタを含み、
前記配線切替スイッチ部は、前記特定のコネクタに前記第１の外部コネクタを差し込んでいない場合は、前記複数のコネクタに前記電源接続部を介して前記電源ラインからの電源が分配されると共に、前記特定のコネクタに前記第１の外部コネクタを差し込みかつ前記特定のコネクタ以外の一方のコネクタに第２の外部コネクタを差し込んだ場合には、前記特定のコネクタ以外の他方のコネクタに前記電源接続部および片切りスイッチを介して前記電源ラインからの電源が分配されるように、前記配線を切り替え、
前記第１および第２の外部コネクタのいずれか一方に渡り線が接続され、他方に前記片切りスイッチが接続されている
ことを特徴とする配線ユニット。
【請求項２】
請求項１記載の配線ユニットにおいて、
前記第１の外部コネクタには、前記第１の外部コネクタとの接続時に前記作動部材に当接する突起部が設けられていることを特徴とする配線ユニット。
【請求項３】
請求項１または２記載の配線ユニットにおいて、
前記配線切替スイッチ部は、前記電源接続部と前記複数のコネクタ間の配線を切り替える複数のスイッチと、前記作動部材の当接により移動して前記複数のスイッチを連動的に切り替えるアクチュエータを有することを特徴とする配線ユニット。
【請求項４】
電源ラインが接続される電源接続部と、前記電源接続部に接続される複数のコネクタと、前記電源接続部と前記複数のコネクタ間の配線を切り替える配線切替スイッチ部と、前記複数のコネクタのうちの特定のコネクタに設けられ、該特定のコネクタに第１の外部コネクタを差し込むことにより作動して、前記配線切替スイッチ部の配線切り替えを行う作動部材とを備えた配線ユニットを２個用いる配線システムであって、
一方の配線ユニットにおいて、前記複数のコネクタは、前記特定のコネクタ以外に２つのコネクタを含み、前記電源接続部に電源の電源ラインが接続され、前記特定のコネクタと前記２つのコネクタのうちの１つのコネクタとに、コンセントが接続された第３の外部コネクタが差し込まれ、
他方の配線ユニットにおいて、前記電源接続部に前記一方の配線ユニットにおける前記第３の外部コネクタが差し込まれているコネクタ以外のコネクタが接続され、前記特定のコネクタに前記第１の外部コネクタが差し込まれ、前記特定のコネクタ以外の一方のコネクタに第２の外部コネクタが差し込まれ、前記第１および第２の外部コネクタのいずれか一方に渡り線が接続され、他方に前記片切りスイッチが接続されている
ことを特徴とする配線システム。
【請求項５】
電源ラインが接続される電源接続部と、前記電源接続部に接続される複数のコネクタと、前記電源接続部と前記複数のコネクタ間の配線を切り替える配線切替スイッチ部と、前記複数のコネクタのうちの特定のコネクタに設けられ、該特定のコネクタに第１の外部コネクタを差し込むことにより作動して、前記配線切替スイッチ部の配線切り替えを行う作動部材とを備えた配線ユニットを２個用いる配線システムであって、
一方の配線ユニットにおいて、前記複数のコネクタは、前記特定のコネクタ以外に２つのコネクタを含み、前記電源接続部に電源の電源ラインが接続され、前記特定のコネクタに前記第１の外部コネクタが差し込まれ、前記特定のコネクタ以外の一方のコネクタに第２の外部コネクタが差し込まれ、前記第１の外部コネクタに４路スイッチの４端子のうちの２端子が接続され、前記第２の外部コネクタに第１の３路スイッチが接続されており、
他方の配線ユニットにおいて、前記複数のコネクタは、前記特定のコネクタ以外に２つのコネクタを含み、前記電源接続部に前記一方の配線ユニットにおける前記特定のコネクタ以外の他方のコネクタが接続され、前記特定のコネクタに前記第１の外部コネクタが差し込まれ、前記特定のコネクタ以外の一方のコネクタに第２の外部コネクタが差し込まれ、前記第２の外部コネクタに前記４路スイッチの４端子のうちの残りの２端子が接続され、前記第１の外部コネクタに第２の３路スイッチが接続されている
ことを特徴とする配線システム。
【発明の詳細な説明】
【技術分野】
【０００１】
本発明は、屋内配線の施工に好適な配線ユニットおよびこの配線ユニットを用いた配線システムに関する。
【背景技術】
【０００２】
従来より、建物の屋内配線は、ＶＶＦケーブル等を結線し、コンセント回路、スイッチ回路（照明等）を形成している。特に、店舗、オフィス等は、経営者、使用目的の変更に伴い、それらの回路変更に対応すべく、頻繁に配線替えが発生する。それに伴い、配線材は結線部も含め、廃棄されている。
【０００３】
一方、回路結線部の部材として、図６に示すような配線ユニットが提案されている。
【０００４】
図６においては、配線ユニットは、電源１０１につながる配線ケーブルを接続する電源接続部１、負荷１０２につながる配線ケーブルを接続する負荷接続部２、第１の三路スイッチ１０３につながる配線ケーブルを接続する第１の三路スイッチ接続部３、第２の三路スイッチ１０４につながる配線ケーブルを接続する第２の三路スイッチ接続部４、四路スイッチ１０５につながる配線ケーブルを接続する第１の四路スイッチ接続部５、四路スイッチ１０５につながる別の配線ケーブルを接続する第２の四路スイッチ接続部６、の各接続部を器体に備えている。そして、各接続部１〜６間に、第１、第２の三路スイッチ１０３、１０４または四路スイッチ１０５の操作により電源１０１と負荷１０２との間を開閉する配線回路を形成している（たとえば、特許文献１参照）。
【特許文献１】特開２０００−１３９００５号公報
【発明の開示】
【発明が解決しようとする課題】
【０００５】
しかしながら、上述の配線ユニットは、施工現場で「容易に回路変更ができない」、「結線時ケーブルの皮むき処理の作業が発生する」等の問題があり、配線作業に時間がかかったり、配線替え作業に電気工事士の資格を必要としたり、また、ケーブル、回路結線部の再利用等に難がある。
【０００６】
そこで本発明は、上述した課題に鑑み、頻繁に配線替えする場合に容易に回路変更が可能であると共に、配線材の再利用も可能とした配線ユニットおよび配線システムを提供することを目的としている。
【課題を解決するための手段】
【０００７】
上記課題を解決するためになされた請求項１記載の発明は、電源ラインが接続される電源接続部と、前記電源接続部に接続される複数のコネクタと、前記電源接続部と前記複数のコネクタ間の配線を切り替える配線切替スイッチ部と、前記複数のコネクタのうちの特定のコネクタに設けられ、該特定のコネクタに第１の外部コネクタを差し込むことにより作動して、前記配線切替スイッチ部の配線切り替えを行う作動部材とを備え、前記複数のコネクタは、前記特定のコネクタ以外に２つのコネクタを含み、前記配線切替スイッチ部は、前記特定のコネクタに前記第１の外部コネクタを差し込んでいない場合は、前記複数のコネクタに前記電源接続部を介して前記電源ラインからの電源が分配されると共に、前記特定のコネクタに前記第１の外部コネクタを差し込みかつ前記特定のコネクタ以外の一方のコネクタに第２の外部コネクタを差し込んだ場合には、前記特定のコネクタ以外の他方のコネクタに前記電源接続部および片切りスイッチを介して前記電源ラインからの電源が分配されるように、前記配線を切り替え、前記第１および第２の外部コネクタのいずれか一方に渡り線が接続され、他方に前記片切りスイッチが接続されていることを特徴とする配線ユニットに存する。
【０００８】
請求項１記載の発明においては、電源ラインが接続される電源接続部と、電源接続部に接続される複数のコネクタと、電源接続部と複数のコネクタ間の配線を切り替える配線切替スイッチ部とをそなえた配線ユニットにおいて、作動部材が複数のコネクタのうちの特定のコネクタに設けられ、特定のコネクタに第１の外部コネクタを差し込むことにより作動して、配線切替スイッチ部の配線切り替えを行う。複数のコネクタは、特定のコネクタ以外に２つのコネクタを含み、配線切替スイッチ部は、特定のコネクタに第１の外部コネクタを差し込んでいない場合は、複数のコネクタに電源接続部を介して電源ラインからの電源が分配されると共に、特定のコネクタに第１の外部コネクタを差し込みかつ特定のコネクタ以外の一方のコネクタに第２の外部コネクタを差し込んだ場合には、特定のコネクタ以外の他方のコネクタに電源接続部および片切りスイッチを介して電源ラインからの電源が分配されるように、配線を切り替え、第１および第２の外部コネクタのいずれか一方に渡り線が接続され、他方に前記片切りスイッチが接続されている。
【０００９】
上記課題を解決するためになされた請求項２記載の発明は、請求項１記載の配線ユニットにおいて、前記第１の外部コネクタには、前記第１の外部コネクタとの接続時に前記作動部材に当接する突起部が設けられていることを特徴とする配線ユニットに存する。
【００１０】
請求項２記載の発明においては、第１の外部コネクタには、第１の外部コネクタとの接続時に前記作動部材に当接する突起部が設けられている。
【００１１】
上記課題を解決するためになされた請求項３記載の発明は、請求項１または２記載の配線ユニットにおいて、前記配線切替スイッチ部は、前記電源接続部と前記複数のコネクタ間の配線を切り替える複数のスイッチと、前記作動部材の当接により移動して前記複数のスイッチを連動的に切り替えるアクチュエータを有することを特徴とする配線ユニットに存する。
【００１２】
請求項３記載の発明においては、配線切替スイッチ部は、電源接続部と複数のコネクタ間の配線を切り替える複数のスイッチと、作動部材の当接により移動して複数のスイッチを連動的に切り替えるアクチュエータを有する。
【００１５】
上記課題を解決するためになされた請求項４記載の発明は、電源ラインが接続される電源接続部と、前記電源接続部に接続される複数のコネクタと、前記電源接続部と前記複数のコネクタ間の配線を切り替える配線切替スイッチ部と、前記複数のコネクタのうちの特定のコネクタに設けられ、該特定のコネクタに第１の外部コネクタを差し込むことにより作動して、前記配線切替スイッチ部の配線切り替えを行う作動部材とを備えた配線ユニットを２個用いる配線システムであって、一方の配線ユニットにおいて、前記複数のコネクタは、前記特定のコネクタ以外に２つのコネクタを含み、前記電源接続部に電源の電源ラインが接続され、前記特定のコネクタと前記３つのコネクタのうちの１つのコネクタとに、コンセントが接続された第３の外部コネクタが差し込まれ、他方の配線ユニットにおいて、前記電源接続部に前記一方の配線ユニットにおける前記第３の外部コネクタが差し込まれているコネクタ以外のコネクタが接続され、前記特定のコネクタに前記第１の外部コネクタが差し込まれ、前記特定のコネクタ以外の一方のコネクタに第２の外部コネクタが差し込まれ、前記第１および第２の外部コネクタのいずれか一方に渡り線が接続され、他方に前記片切りスイッチが接続されていることを特徴とする配線システムに存する。
【００１６】
請求項４記載の発明においては、配線ユニットを２個用いる配線システムであって、一方の配線ユニットにおいて、複数のコネクタは、特定のコネクタ以外に２つのコネクタを含み、電源接続部に電源の電源ラインが接続され、特定のコネクタと３つのコネクタのうちの１つのコネクタとに、コンセントが接続された第３の外部コネクタが差し込まれている。また、他方の配線ユニットにおいて、電源接続部に一方の配線ユニットにおける第３の外部コネクタが差し込まれているコネクタ以外のコネクタが接続され、特定のコネクタに第１の外部コネクタが差し込まれ、特定のコネクタ以外の一方のコネクタに第２の外部コネクタが差し込まれ、第１および第２の外部コネクタのいずれか一方に渡り線が接続され、他方に片切りスイッチが接続されている。
【００１７】
上記課題を解決するためになされた請求項５記載の発明は、電源ラインが接続される電源接続部と、前記電源接続部に接続される複数のコネクタと、前記電源接続部と前記複数のコネクタ間の配線を切り替える配線切替スイッチ部と、前記複数のコネクタのうちの特定のコネクタに設けられ、該特定のコネクタに第１の外部コネクタを差し込むことにより作動して、前記配線切替スイッチ部の配線切り替えを行う作動部材とを備えた配線ユニットを２個用いる配線システムであって、一方の配線ユニットにおいて、前記複数のコネクタは、前記特定のコネクタ以外に２つのコネクタを含み、前記電源接続部に電源の電源ラインが接続され、前記特定のコネクタに前記第１の外部コネクタが差し込まれ、前記特定のコネクタ以外の一方のコネクタに第２の外部コネクタが差し込まれ、前記第１の外部コネクタに４路スイッチの４端子のうちの２端子が接続され、前記第２の外部コネクタに第１の３路スイッチが接続されており、他方の配線ユニットにおいて、前記複数のコネクタは、前記特定のコネクタ以外に２つのコネクタを含み、前記電源接続部に前記一方の配線ユニットにおける前記特定のコネクタ以外の他方のコネクタが接続され、前記特定のコネクタに前記第１の外部コネクタが差し込まれ、前記特定のコネクタ以外の一方のコネクタに第２の外部コネクタが差し込まれ、前記第１の外部コネクタに前記４路スイッチの４端子のうちの残りの２端子が接続され、前記第２の外部コネクタに第２の３路スイッチが接続されていることを特徴とする配線システムに存する。
【００１８】
請求項５記載の発明においては、配線ユニットを２個用いる配線システムであって、一方の配線ユニットにおいて、複数のコネクタは、特定のコネクタ以外に２つのコネクタを含み、電源接続部に電源の電源ラインが接続され、特定のコネクタに第１の外部コネクタが差し込まれ、特定のコネクタ以外の一方のコネクタに第２の外部コネクタが差し込まれ、第１の外部コネクタに４路スイッチの４端子のうちの２端子が接続され、第２の外部コネクタに第１の３路スイッチが接続されている。また、他方の配線ユニットにおいて、複数のコネクタは、特定のコネクタ以外に２つのコネクタを含み、電源接続部に一方の配線ユニットにおける特定のコネクタ以外の他方のコネクタが接続され、特定のコネクタに第１の外部コネクタが差し込まれ、特定のコネクタ以外の一方のコネクタに第２の外部コネクタが差し込まれ、第１の外部コネクタに４路スイッチの４端子のうちの残りの２端子が接続され、第２の外部コネクタに第２の３路スイッチが接続されている。
【発明の効果】
【００１９】
請求項１記載の発明の配線ユニットによれば、電源ラインが接続される電源接続部と、電源接続部に接続される複数のコネクタと、電源接続部と複数のコネクタ間の配線を切り替える配線切替スイッチ部と、複数のコネクタのうちの特定のコネクタに設けられ、該特定のコネクタに第１の外部コネクタを差し込むことにより作動して、配線切替スイッチ部の配線切り替えを行う作動部材とを備え、複数のコネクタは、特定のコネクタ以外に２つのコネクタを含み、配線切替スイッチ部は、特定のコネクタに第１の外部コネクタを差し込んでいない場合は、複数のコネクタに電源接続部を介して電源ラインからの電源が分配されると共に、特定のコネクタに第１の外部コネクタを差し込みかつ特定のコネクタ以外の一方のコネクタに第２の外部コネクタを差し込んだ場合には、特定のコネクタ以外の他方のコネクタに電源接続部および片切りスイッチを介して電源ラインからの電源が分配されるように、配線を切り替え、第１および第２の外部コネクタのいずれか一方に渡り線が接続され、他方に片切りスイッチが接続されているので、以下の利点が得られる。
（１）配線ユニットの内部結線は、作動部材を備えた特定のコネクタへ外部コネクタを抜き差しすることにより自動的に変更され、使用者の施工現場での回路変更が短時間で容易に行うことができるので作業負担が軽減される。
（２）異なる回路構成を有する屋内配線の施工時、同じ配線ユニットを用いて、施工現場で回路の変更を行うことができるため、資材管理が容易である。
（３）配線ユニットへのスイッチ、コンセント等の配線器具はコネクタで接続されるので、結線作業の際、ケーブルの皮むき等が必要ないため、皮むき時に発生するシース、絶縁体切りカスが発生しない。
（４）コネクタ接続により、コネクタ付ケーブルの再利用が可能となる。
（５）屋内電気配線のケーブル、その他部材（回路部）の再利用が可能である。
（６）配線ユニットを共通部品として、スイッチ、コンセント回路への仕様変更など多目的に使用できる。
また、配線ユニットの内部結線は、作動部材を備えた特定のコネクタへ外部コネクタを抜き差しすることにより自動的に変更され、それにより、電源接続部に接続された電源ラインからの電源を複数のコネクタに分配する送り電源用の配線ユニットとして使用したり、電源接続部に接続された電源ラインからの電源を片切りスイッチを介して送り電源用の他のコネクタに供給するスイッチ回路として使用したりできるので、共通の部品として多目的に使用できる。
【００２０】
請求項２記載の発明の配線ユニットによれば、第１の外部コネクタには、第１の外部コネクタとの接続時に作動部材に当接する突起部が設けられているので、特定のコネクタに第１の外部コネクタを差し込むことにより作動部材を作動させて、配線切替スイッチ部の配線切り替えを行うことができる。
【００２１】
請求項３記載の発明の配線ユニットによれば、配線切替スイッチ部は、電源接続部と複数のコネクタ間の配線を切り替える複数のスイッチと、作動部材の当接により移動して複数のスイッチを連動的に切り替えるアクチュエータを有するので、複数のスイッチを連動して導通（オン）状態または非導通（オフ）状態に切り替えることにより電源接続部と複数のコネクタ間の配線を変更することができる。
【００２３】
請求項４記載の発明の配線ユニットによれば、配線ユニットを２個用いる配線システムであって、一方の配線ユニットにおいて、複数のコネクタは、特定のコネクタ以外に２つのコネクタを含み、電源接続部に電源の電源ラインが接続され、３つのコネクタのうちの１つのコネクタに、コンセントが接続された第３の外部コネクタが差し込まれ、他方の配線ユニットにおいて、電源接続部に一方の配線ユニットにおける第３のコネクタが差し込まれているコネクタ以外のコネクタが接続され、特定のコネクタに第１の外部コネクタが差し込まれ、特定のコネクタ以外の一方のコネクタに第２の外部コネクタが差し込まれ、第１および第２の外部コネクタのいずれか一方に渡り線が接続され、他方に片切りスイッチが接続されているので、共通の部品としての２個の配線ユニットを接続することにより、共通の部品としての配線ユニットを複数個使用して安価に回路を増設することができ、屋内配線の施工時コンセントの増設やスイッチ回路の配線が容易になる。
【００２４】
請求項５記載の発明の配線ユニットによれば、配線ユニットを２個用いる配線システムであって、一方の配線ユニットにおいて、複数のコネクタは、特定のコネクタ以外に２つのコネクタを含み、電源接続部に電源の電源ラインが接続され、特定のコネクタに第１の外部コネクタが差し込まれ、特定のコネクタ以外の一方のコネクタに第２の外部コネクタが差し込まれ、第１の外部コネクタに４路スイッチの４端子のうちの２端子が接続され、第２の外部コネクタに第１の３路スイッチが接続されており、他方の配線ユニットにおいて、複数のコネクタは、特定のコネクタ以外に２つのコネクタを含み、電源接続部に一方の配線ユニットにおける特定のコネクタ以外の他方のコネクタが接続され、特定のコネクタに第１の外部コネクタが差し込まれ、特定のコネクタ以外の一方のコネクタに第２の外部コネクタが差し込まれ、第１の外部コネクタに４路スイッチの４端子のうちの残りの２端子が接続され、第２の外部コネクタに第２の３路スイッチが接続されているので、共通の部品としての２個の配線ユニットを接続することにより、共通の部品としての配線ユニットを複数個使用して安価に回路を増設することができ、屋内配線の施工時３路スイッチや４路スイッチを含む複雑なスイッチ回路の配線が容易になる。
【発明を実施するための最良の形態】
【００２５】
以下、本発明に係る配線ユニットおよび配線システムの実施の形態について図面を参照して説明する。
【００２６】
（配線ユニットの実施形態）まず、本発明に係る配線ユニットの構成について説明する。図１は、本発明に係る配線ユニットの実施の形態の構成を示す結線図である。配線ユニット２０は、電源用レセプタクルコネクタ２１、レセプタクルコネクタ２２〜２４および配線切替スイッチ部９０で構成されている。配線ユニット２０の内部では、内部結線導体７０で各コネクタが図示の如く結線されている。電源用レセプタクルコネクタ２１は、請求項における電源接続部として働く。レセプタクルコネクタ２３は、請求項における特定のコネクタとして働き、レセプタクルコネクタ２２および２４は、請求項におけるコネクタとして働く。
【００２７】
電源用レセプタクルコネクタ２１は３Ｐ雄型のコネクタであり、雄端子２１ａ，２１ｂ，２１ｃを有する。レセプタクルコネクタ２２〜２４は、３Ｐ雌型のコネクタである。レセプタクルコネクタ２２は、雌端子２２ａ，２２ｂ，２２ｃを有し、レセプタクルコネクタ２３は、雌端子２３ａ，２３ｂ，２３ｃを有し、レセプタクルコネクタ２４は、雌端子２４ａ，２４ｂ，２４ｃを有する。レセプタクルコネクタ２３は、さらに、コネクタ差込確認部８０を有する。コネクタ差込確認部８０は、請求項における作動部材として働く。
【００２８】
配線切替スイッチ部９０は、３個のスイッチ９１，９２，９３から構成されている。スイッチ９１は、電源用レセプタクルコネクタ２１の雄端子２１ａおよびレセプタクルコネクタ２４の雌端子２４ａに接続された端子９１ａと、レセプタクルコネクタ２２の雌端子２２ａおよびレセプタクルコネクタ２３の雌端子２３ａに接続された端子９１ｂを有する。スイッチ９２は、電源用レセプタクルコネクタ２１の雄端子２１ｂおよびレセプタクルコネクタ２４の雌端子２４ｂに接続された端子９２ａと、レセプタクルコネクタ２２の雌端子２２ｂおよびレセプタクルコネクタ２３の雌端子２３ｂに接続された端子９２ｂを有する。スイッチ９３は、レセプタクルコネクタ２３の雄端子２３ｃおよびレセプタクルコネクタ２４の雌端子２４ｃに接続された端子９３ａと、電源用レセプタクルコネクタ２１の雄端子２１ｃおよびレセプタクルコネクタ２２の雌端子２３ｃに接続された端子９３ｂを有する。
【００２９】
配線切替スイッチ部９０のスイッチ９１，９２，９３は、詳しくは後述するが、通常導通（オン）状態になっており、レセプタクルコネクタ２３のコネクタ差込確認部８０にプラグコネクタ５２のコネクタ差込突起部８１が当接することにより、連動して導通（オン）または非導通（オフ）状態に切り替えられるものである。コネクタ差込突起部８１は、請求項における突起部として働く。
【００３０】
電源用レセプタクルコネクタ２１には、電源用プラグコネクタ３１が接続される。電源用プラグコネクタ３１は、３Ｐ雌型のコネクタである。電源用プラグコネクタ３１は、雌端子３１ａ，３１ｂ，３１ｃを有する。雌端子３１ａ，３１ｂ，３１ｃは、それぞれ、電源のＧ（接地）ライン、Ｗ（白）ライン、Ｂ（黒）ラインにＶＶＦケーブル等の接続ケーブル７１で接続される。
【００３１】
レセプタクルコネクタ２４には、電源送り用プラグコネクタ３４が接続される。電源送り用プラグコネクタ３４は、３Ｐ雄型のコネクタであり、雄端子３４ａ，３４ｂ，３４ｃを有する。雄端子３４ａ，３４ｂ，３４ｃは、それぞれ、電源送りのＧ（接地）ライン、Ｗ（白）ライン、Ｂ（黒）ラインとして働くＶＶＦケーブル等の接続ケーブル７４に接続されている。
【００３２】
レセプタクルコネクタ２２には、プラグコネクタ３２または５１が接続される。プラグコネクタ３２は、３Ｐ雄型のコネクタであり、雄端子３２ａ，３２ｂ，３２ｃを有する。雄端子３２ａ，３２ｂ，３２ｃは、それぞれ、配線器具の１つであるコンセント４１にＶＶＦケーブル等の接続ケーブル７２で接続される。プラグコネクタ３２は、請求項における第３の外部コネクタとして働く。プラグコネクタ５１は、２Ｐ雄型のコネクタであり、雄端子５１ａ，５１ｂを有する。雄端子５１ａ，５１ｂは、それぞれ、配線器具の１つである片切りスイッチ６１の端子６２ｂ，６２ａに接続される。プラグコネクタ５１は、請求項における第２の外部コネクタとして働く。
【００３３】
レセプタクルコネクタ２３には、プラグコネクタ３３または５２が接続される。プラグコネクタ３３は、３Ｐ雄型のコネクタであり、雄端子３３ａ，３３ｂ，３３ｃを有する。雄端子３３ａ，３３ｂ，３３ｃは、それぞれ、配線器具の１つであるコンセント４２にＶＶＦケーブル等の接続ケーブル７３で接続される。プラグコネクタ５２は、２Ｐ雄型のコネクタであり、雄端子５２ａ，５２ｂを有する。雄端子５２ａ，５２ｂには、それぞれ、渡り線６２が接続され、短絡されている。プラグコネクタ５２は、さらに、コネクタ差込突起部８１を有する。コネクタ差込突起部８１は、プラグコネクタ５２をレセプタクルコネクタ２３に差し込んだ時に、コネクタ差込確認部８０に当接する位置に設けられている。プラグコネクタ５２は、請求項における第１の外部コネクタとして働く。
【００３４】
図２は、図１のコネクタ差込確認部８０、コネクタ差込突起部８１および配線切替スイッチ部９０の具体的な構成例を示す概略図である。配線切替スイッチ部９０は、複数のスイッチを内蔵したマルチリミットスイッチ等で構成され、ここでは、アクチュエータ９０ａの作動により連動してオン／オフするスイッチ９１，９２，９３を含む３回路１接点のマルチリミットスイッチである。電線９１ｃおよび９１ｄは、スイッチ９１の端子９１ａおよび９１ｂに接続され、電線９２ｃおよび９２ｄは、スイッチ９２の端子９２ａおよび９２ｂに接続され、電線９３ｃおよび９３ｄは、スイッチ９３の端子９３ａおよび９３ｂに接続される。このようなマルチリミットスイッチは周知であり、その詳細な内部構造についての説明は省略する。
【００３５】
コネクタ差込確認部８０は、レセプタクルコネクタ２３に所定ストロークだけ直線運動可能に設けられた中継棒８０ａを有する。中継棒８０ａは、請求項における作動部材として働く。プラグコネクタ５２が、レセプタクルコネクタ２３に差し込まれると、コネクタ差込突起部８１が中継棒８０ａの一方の端部に当接し、中継棒８０ａが所定ストロークだけ直線移動して、その他方の端部がアクチュエータ９０ａに当たり、アクチュエータ９０ａを旋回移動させてスイッチ９１，９２，９３をオンからオフに切り替える。また、プラグコネクタ５２が、レセプタクルコネクタ２３に引き抜かれると、コネクタ差込突起部８１が中継棒８０ａの一方の端部から離脱し、それにより、中継棒８０ａが復帰スプリング（図示しない）により元の位置に復帰し、中継棒８０ａの他方の端部がアクチュエータ９０ａから離脱し、アクチュエータ９０ａが復帰スプリング（図示しない）により元の位置に復帰し、スイッチ９１，９２，９３をオフからオンに復帰させる。
【００３６】
図３は、配線ユニット２０の外観を示す図である。配線ユニット２０は、たとえば、箱形のケース２０Ａに電源用レセプタクルコネクタ２１、レセプタクルコネクタ２２〜２４および配線切替スイッチ部９０が収容されている。各レセプタクルコネクタは、対応するプラグコネクタを差し込むことができるように、ケース２０Ａの側部から露出されている。図３では、レセプタクルコネクタ２２〜２４が見えており、電源用レセプタクルコネクタ２１は見えていないが、レセプタクルコネクタ２４が配置されている側部と反対側の側部から露出するように配置されている。レセプタクルコネクタ２３は、コネクタ差込確認部８０を構成する突起挿入孔８０ｂが雌端子２３ｂおよび２３ｃ間に設けられ、この突起挿入孔８０ｂの内部に、図２の中継棒８０ａが所定ストロークだけ直線的にスライド可能に保持されている。突起挿入孔８０ｂには、プラグコネクタ５２を差し込む時にコネクタ差込突起部８１が挿入される。
【００３７】
次に、上述の構成を有する配線ユニット２０の作用について説明する。上述の構成において、配線ユニット２０は、配線切替スイッチ部９０の切り替え動作により、その結線が以下の使用用途に適するように変更される。
（１）配線切替スイッチ部９０の導通時・・・電源分配回路（コンセント用および電源送り用）
（２）配線切替スイッチ部９０の非導通時・・・スイッチ回路（スイッチ、照明、換気扇等の負荷）
【００３８】
配線ユニット２０の内部結線の切り替えは、レセプタクルコネクタ２３へのプラグコネクタ５２の抜き差しにより自動的に行われ、使用用途に応じた変更がなされる。
【００３９】
結線切り替えのメカニズムを以下に示す。
【００４０】
（電源分配回路）電源分配回路として使用する場合は以下の通りである。通常は、配線切替スイッチ部９０の各スイッチ９１，９２，９３が導通状態となっている。そのため、電源分配回路となり、電源盤（図示しない）より接続ケーブル７１が接続された電源用プラグコネクタ３１が、電源用レセプタクルコネクタ２１に差し込まれることにより、電源は、他のレセプタクルコネクタ２２〜２４に分配される。それにより、レセプタクルコネクタ２２，２３は、コンセント用、レセプタクルコネクタ２４は、電源の送り用として使用できる状態となる。
【００４１】
したがって、この状態の配線ユニット２０を用いて屋内配線を行う場合、レセプタクルコネクタ２２，２３に、それぞれ、プラグコネクタ３２，３３を差し込むことにより、屋内適所に配置されたコンセント４１，４２への電源供給を行う配線を行うことができる。
【００４２】
（スイッチ回路）スイッチ回路として使用する場合は以下の通りである。プラグコネクタ３２，３３に代えて、プラグコネクタ５１，５２が、それぞれレセプタクルコネクタ２２，２３に差し込まれる。プラグコネクタ５１の雄端子５１ａ，５１ｂは、それぞれ、レセプタクルコネクタ２２の雌端子２２ｂ，２２ｃに差し込まれ、プラグコネクタ５２の雄端子５２ａ，５２ｂは、それぞれ、レセプタクルコネクタ２３の雌端子２３ｂ，２３ｃに差し込まれる。レセプタクルコネクタ２３には、コネクタ差込確認部８０が取り付けられており、このコネクタ差込確認部８０の中継棒８０ａ部分に、プラグコネクタ５２のコネクタ差込突起部８１が当接することにより、配線切替スイッチ部９０が動作し、配線切替スイッチ部９０が導通（オン）状態から非導通（オフ）状態になり、内部結線がスイッチ回路として使用できる状態となる。
【００４３】
すなわち、電源のＧ（接地）ラインおよびＷ（白）ラインは、配線ユニット２０をスルーして電源送り用プラグコネクタ３４のＧ（接地）ラインおよびＷ（白）ラインに送られる。一方、電源のＢ（黒）ラインは、電源用プラグコネクタ３１の雌端子３１ｃ→電源用レセプタクルコネクタ２１の雄端子２１ｃ→レセプタクルコネクタ２２の雌端子２２ｃ→プラグコネクタ５１の雄端子５１ｂ→片切りスイッチ６１→プラグコネクタ５１の雄端子５１ａ→レセプタクルコネクタ２２の雌端子２２ｂ→レセプタクルコネクタ２３の雌端子２３ｂ→プラグコネクタ５２の雄端子５２ａ→渡り線６２→プラグコネクタ５２の雄端子５２ｂ→レセプタクルコネクタ２４の雌端子２４ｂを通って電源送り用プラグコネクタ３４のＢ（黒）ラインに送られる。
【００４４】
したがって、この状態の配線ユニット２０を用いて屋内配線を行う場合、片切りスイッチ６１を導通（オン）させた場合は、電源送り用プラグコネクタ３４に接続される図示しない負荷（たとえば、照明、換気扇等）に電源を供給し、片切りスイッチ６１を非導通（オフ）させた場合は、上記負荷に供給されている電源を遮断することができる。
【００４５】
このように、本発明の配線ユニットによれば、配線ユニットの内部結線は、作動部材を備えた特定のコネクタへ外部コネクタを抜き差しすることにより自動的に変更され、使用者の施工現場での回路変更が短時間で容易に行うことができるので作業負担が軽減される。また、異なる回路構成を有する屋内配線の施工時、同じ配線ユニットを用いて、施工現場で回路の変更を行うことができるため、資材管理が容易である。また、配線ユニットへのスイッチ、コンセント等の配線器具はコネクタで接続されるので、結線作業の際、ケーブルの皮むき等が必要ないため、皮むき時に発生するシース、絶縁体切りカスが発生しない。また、コネクタ接続により、コネクタ付ケーブルの再利用が可能となる。また、屋内電気配線のケーブル、その他部材（回路部）の再利用が可能である。さらに、配線ユニットを共通部品として、スイッチ、コンセント回路への仕様変更など多目的に使用できる。
【００４６】
（配線システムの第１の実施形態）次に、上述の配線ユニットを用いて構成される配線システムについて説明する。図４は、本発明に係る配線システムの第１の実施形態を示す回路図である。この配線システムは、本発明の配線ユニット２０を２個使用する応用例として構成される。図４において、左側の配線ユニット２０のレセプタクルコネクタ２４と、右側の配線ユニット２０の電源用レセプタクルコネクタ２１は、レセプタクルコネクタ２４に接続されるプラグコネクタ３４と、電源用レセプタクルコネクタ２１に接続されるレセプタクルコネクタ３１とが両端に接続されたＶＶＦケーブル等からなる延長ケーブル７５で結線されている。
【００４７】
左側の配線ユニット２０は、配線切替スイッチ部９０が導通（オン）状態となっており、電源分配回路として機能する内部結線状態になっている。すなわち、レセプタクルコネクタ２２には、コンセント４１が接続されたプラグコネクタ３２が接続され、レセプタクルコネクタ２３には、プラグコネクタ３５とレセプタクルコネクタ３６を両端に備えるＶＶＦケーブル等からなる延長ケーブル７３を介して、コンセント４２が接続されたプラグコネクタ３３が接続される。
【００４８】
また、右側の配線ユニット２０は、配線切替スイッチ部９０が非導通（オフ）状態となっており、スイッチ回路として機能する内部結線状態になっている。すなわち、レセプタクルコネクタ２２には、片切りスイッチ６１が接続されたプラグコネクタ５１が接続され、レセプタクルコネクタ２３には、プラグコネクタ５２が接続される。それにより、配線切替スイッチ部９０が動作し、配線切替スイッチ部９０が非導通（オフ）状態に切り替えられている。レセプタクルコネクタ２４は、プラグコネクタ３４とレセプタクルコネクタ３１に両端が接続されたＶＶＦケーブル等からなる延長ケーブル７５を介して、負荷としての照明４３に接続されたプラグコネクタ３７に結線される。
【００４９】
このように、図４の結線では、左側の配線ユニット２０による電源分配回路と、右側の配線ユニット２０によるスイッチ回路とが混在する構成となっている。
【００５０】
なお、図４において、プラグコネクタ５２をレセプタクルコネクタ２３から引き抜くと、コネクタ差込突起部８１がコネクタ差込確認部８０から離れるため、配線切替スイッチ部９０が元の状態に戻り、配線切替スイッチ部９０が導通（オン）状態となることで、右側の配線ユニット２０のレセプタクルコネクタ２２〜２４は、コンセントまたは他の電源への送り用として使用できる状態に戻る。
【００５１】
（配線システムの第２の実施形態）図５は、本発明に係る配線システムの第２の実施形態を示す回路図である。この配線システムは、図４と同様に、本発明の配線ユニット２０を２個使用する応用例として構成される。図５において、左側の配線ユニット２０のレセプタクルコネクタ２４と、右側の配線ユニット２０の電源用レセプタクルコネクタ２１は、レセプタクルコネクタ２４に接続されるプラグコネクタ３４と、電源用レセプタクルコネクタ２１に接続されるレセプタクルコネクタ３１とが両端に接続されたＶＶＦケーブル等からなる延長ケーブル７５で結線されている。
【００５２】
左側の配線ユニット２０は、配線切替スイッチ部９０が非導通（オフ）状態となっており、スイッチ回路として機能する内部結線状態になっている。すなわち、レセプタクルコネクタ２２には、プラグコネクタ５３が差し込まれる。プラグコネクタ５３は、３Ｐ雄型のコネクタであり、雄端子５３ａ，５３ｂ，５３ｃを有する。雄端子５３ａ，５３ｂ，５３ｃには、それぞれ、第１の３路スイッチとしての３路スイッチ６３の端子６３ｃ、端子６３ｂおよび共通端子６３ａが接続されている。レセプタクルコネクタ２３には、プラグコネクタ５４が差し込まれる。プラグコネクタ５４は、３Ｐ雄型のコネクタであり、雄端子５４ａ，５４ｂ，５４ｃとコネクタ差込突起部８１を有する。プラグコネクタ５４は、請求項における第１の外部コネクタとして働く。雄端子５４ａ，５４ｂには、それぞれ、４路スイッチ６５の端子６５ａ，６５ｃが接続されている。雄端子５４ａ，５４ｂ，５４ｃは、それぞれ、レセプタクルコネクタ２３の雌端子２３ａ，２３ｂ、２３ｃに差し込まれている。
【００５３】
また、右側の配線ユニット２０は、配線切替スイッチ部９０が非導通（オフ）状態となっており、スイッチ回路として機能する内部結線状態になっている。すなわち、レセプタクルコネクタ２２には、プラグコネクタ５５が差し込まれる。プラグコネクタ５５は、２Ｐ雄型のコネクタであり、雄端子５５ａ，５５ｂを有する。雄端子５５ａ，５５ｂは、それぞれ、レセプタクルコネクタ２２の雌端子２３ａ，２３ｂに差し込まれると共に、４路スイッチ６５の端子６５ｂ，６５ｄに接続されている。レセプタクルコネクタ２３には、プラグコネクタ５６が差し込まれる。プラグコネクタ５６は、３Ｐ雄型のコネクタであり、雄端子５６ａ，５６ｂ，５６ｃとコネクタ差込突起部８１を有する。雄端子５６ａ，５６ｂ，５６ｃには、それぞれ、第２の３路スイッチとしての３路スイッチ６４の端子６４ｃ、端子６４ｂおよび共通端子６４ａが接続されている。レセプタクルコネクタ２４は、負荷としての照明４３に接続されたプラグコネクタ３７に結線されている。
【００５４】
図５の結線では、左側の配線ユニット２０によるスイッチ回路と、右側の配線ユニット２０によるスイッチ回路に、屋内の各所で照明４３をオン、オフするために、３路スイッチ６３，６４と４路スイッチ６５を接続した屋内配線が形成される構成となる。
【００５５】
以上説明したように、本発明の配線システムによれば、共通の部品としての配線ユニットを複数個使用することにより、安価に回路を増設することができ、屋内配線の施工時コンセントの増設やスイッチ回路の配線が容易になる。また、屋内配線の施工時複雑な３路スイッチや４路スイッチを含む複雑な回路（３路スイッチ構成、４路スイッチ構成など）の配線が容易になる。
【００５６】
以上の通り、本発明の実施形態について説明したが、本発明はこれに限らず、種々の変形、応用が可能である。
【００５７】
たとえば、上述の実施形態では、プラグコネクタ５１に片切りスイッチ６１が接続され、プラグコネクタ５２に渡り線６２が接続されているが、これに代えて、プラグコネクタ５２に片切りスイッチ６１を接続し、プラグコネクタ５１に渡り線６２を接続しても良い。
【００５８】
また、電源分配回路として使用される場合には、レセプタクルコネクタ２４ではなく、レセプタクルコネクタ２２または２３を次段への電源送り用に使用しても良い。
【００５９】
また、図１の内部結線のままで、レセプタクルコネクタ２２〜２４の位置をそれぞれ入れ替えても良い。
【図面の簡単な説明】
【００６０】
【図１】本発明に係る配線ユニットの実施の形態の構成を示す結線図である。
【図２】図１のコネクタ差込確認部、コネクタ差込突起部および配線切替スイッチ部の具体的な構成例を示す概略図である。
【図３】本発明の配線ユニットの外観を示す図である。
【図４】本発明に係る配線システムの第１の実施形態を示す結線図である。
【図５】本発明に係る配線システムの第２の実施形態を示す結線図である。
【図６】従来の配線ユニットにより構成される配線回路を示す図である。
【符号の説明】
【００６１】
２０  配線ユニット
２１  電源用レセプタクルコネクタ（電源接続部）
２２  レセプタクルコネクタ（コネクタ）
２３  レセプタクルコネクタ（特定のコネクタ）
２４  レセプタクルコネクタ（コネクタ）
３２  プラグコネクタ（第３の外部コネクタ）
５１  プラグコネクタ（第２の外部コネクタ）
５２  プラグコネクタ（第１の外部コネクタ）
６１  片切りスイッチ
６２  渡り線
８０  コネクタ差込確認部（作動部材）
８１  コネクタ差込突起部（突起部）
９０  配線切替スイッチ部
９０ａ  アクチュエータ
９１，９２，９３  スイッチ
【図１】
0004690191.tif 000002
【図２】
0004690191.tif 000003
【図３】
0004690191.tif 000004
【図４】
0004690191.tif 000005
【図５】
0004690191.tif 000006
【図６】
0004690191.tif 000007